(57)【要約】【課題】３層以上の多層光情報媒体における情報層（記録層）の積層数が異なっていても、各情報層（記録層）のアドレス情報を容易に取得できる多層光情報媒体とその記録・読取装置、及び、該記録・読取装置に書込み・読取りを実行させるプログラムの提供。【解決手段】情報層を３層以上有する多層構造であって、各情報層に位置を示すアドレス情報がらせん状に記録されている多層光情報媒体において、該アドレス情報のアドレスを示す数値が内周部から外周部に向って増加していく層（以後、ＩｔｏＯ層という）と、外周部から内周部に向って増加していく層（以後、ＯｔｏＩ層という）を有し、ＩｔｏＯ層とＯｔｏＩ層は、それぞれ全て略同一のアドレス情報を有すると共に、各層を特定する情報がアドレス情報に付加されている多層光情報媒体。【選択図】図１
2008251147.tif 000002
【特許請求の範囲】
【請求項１】
情報層を３層以上有する多層構造であって、各情報層に位置を示すアドレス情報がらせん状に記録されている多層光情報媒体において、該アドレス情報のアドレスを示す数値が内周部から外周部に向って増加していく層（以後、ＩｔｏＯ層という）と、外周部から内周部に向って増加していく層（以後、ＯｔｏＩ層という）を有し、ＩｔｏＯ層とＯｔｏＩ層は、それぞれ全て略同一のアドレス情報を有すると共に、各層を特定する情報がアドレス情報に付加されていることを特徴とする多層光情報媒体。
【請求項２】
前記各情報層が、記録データの書き込みが可能な記録層を有すると共に半径方向に蛇行したらせん状の案内溝を有し、該案内溝の蛇行に、前記アドレス情報が変調されて記録されていることを特徴とする請求項１記載の多層光情報媒体。
【請求項３】
ＩｔｏＯ層とＯｔｏＩ層とが交互に積層されていることを特徴とする請求項１又は２記載の多層光情報媒体。
【請求項４】
ＯｔｏＩ層のアドレス情報が、ＩｔｏＯ層のアドレス情報のビット反転であることを特徴とする請求項１〜３の何れかに記載の多層光情報媒体。
【請求項５】
ＯｔｏＩ層のアドレス情報又はＩｔｏＯ層のアドレス情報が、隣接した層のアドレス情報のビット反転であることを特徴とする請求項１〜３の何れかに記載の多層光情報媒体。
【請求項６】
ＯｔｏＩ層のアドレス情報が、ＩｔｏＯ層のアドレス情報の符号反転であることを特徴とする請求項１〜３の何れかに記載の多層光情報媒体。
【請求項７】
ＯｔｏＩ層のアドレス情報又はＩｔｏＯ層のアドレス情報が、隣接した層のアドレス情報の符号反転であることを特徴とする請求項１〜３の何れかに記載の多層光情報媒体。
【請求項８】
ＩｔｏＯ層とＯｔｏＩ層とが交互に積層されており、各層がレイヤー情報及びアドレス情報を有すると共に、ＩｔｏＯ層のレイヤー情報及びアドレス情報とＯｔｏＩ層のレイヤー情報及びアドレス情報とが互いにビット反転された関係にあり、隣接するＩｔｏＯ層とＯｔｏＩ層を一つの組として組番号が付与され、該組番号と前記レイヤー情報を組み合わせて各層を特定する情報としたことを特徴とする請求項１記載の多層光情報媒体。
【請求項９】
ＩｔｏＯ層とＯｔｏＩ層とが交互に積層されており、各層がレイヤー情報及びアドレス情報を有すると共に、ＩｔｏＯ層のレイヤー情報及びアドレス情報とＯｔｏＩ層のレイヤー情報及びアドレス情報とが互いに符号反転された関係にあり、隣接するＩｔｏＯ層とＯｔｏＩ層を一つの組として組番号が付与され、該組番号と前記レイヤー情報を組み合わせて各層を特定する情報としたことを特徴とする請求項１記載の多層光情報媒体。
【請求項１０】
前記各情報層が、記録データの書き込みが可能な記録層を有すると共に半径方向に蛇行したらせん状の案内溝を有し、該案内溝の蛇行に、前記アドレス情報が変調されて記録されていることを特徴とする請求項８又は９記載の多層光情報媒体。
【請求項１１】
アドレス情報が、記録データのデータアドレスに対して所定の変換が行なわれて当該データアドレスよりも少ない語長で表現されていることを特徴とする請求項１〜１０の何れかに記載の多層光情報媒体。
【請求項１２】
アドレス情報の変調が位相変調であることを特徴とする請求項２〜７及び１０の何れかに記載の多層光情報媒体。
【請求項１３】
アドレス情報の変調が周波数変調であることを特徴とする請求項２〜７及び１０の何れかに記載の多層光情報媒体。
【請求項１４】
アドレス情報の変調が振幅変調であることを特徴とする請求項２〜７及び１０の何れかに記載の多層光情報媒体。
【請求項１５】
情報層を３層以上有する多層光情報媒体に対し、各情報層にらせん状に記録された位置を示すアドレス情報を読取る手段と、前記情報層の各層を特定する情報を取得する手段と、このアドレス情報及び各層を特定する情報を用いて前記情報層へのアクセスを行う手段と、アクセスした位置に記録されたデータの読取りを行う手段及び／又はアクセスした位置にデータの書き込みを行う手段とを実施する機能を備えたことを特徴とする請求項１〜１４の何れかに記載の多層光情報媒体の光情報処理装置。
【請求項１６】
情報層を３層以上有する多層光情報媒体に対し、各情報層にらせん状に記録された位置を示すアドレス情報を読取る処理と、前記情報層の各層を特定する情報を取得する処理と、このアドレス情報及び各層を特定する情報を用いて前記情報層へのアクセスを行う処理と、アクセスした位置に記録されたデータの読取りを行う処理及び／又はアクセスした位置にデータの書き込みを行う処理とを、請求項１５記載の光情報処理装置に実行させるプログラム。
【請求項１７】
請求項１６記載のプログラムを記憶していることを特徴とする情報媒体。
【発明の詳細な説明】
【技術分野】
【０００１】
本発明は、多層光情報媒体とその光情報処理装置、並びに実行プログラム及びそれを備えた情報媒体に関する。
【背景技術】
【０００２】
ＤＶＤなどの光ディスクでは、記録層を２層以上設けることにより、全体の記憶容量を拡大することができる。このような光ディスクでは、アクセスを片面から行い、光ヘッド（ピックアップ）の光ビームの焦点をそれぞれの記録層に合わせることにより記録や再生が可能になる。これにより、光ディスクを裏返すことなく大容量の記録再生ができる。特に、ＤＶＤでは、すでに再生専用タイプ（ＲＯＭ）の２層ディスクが実用化されている。
特許文献１には、第１、第２の記録層を有する多層構造の光情報媒体であって、スパイラル状又は同心円状に複数のトラックを有し、トラックが複数のセクタで構成されているものが開示されている。各セクタはそれぞれ、第１の記録層に０から（Ｓ−１）〔Ｓは第１及び第２の記録層のセクタ数〕、第２の記録層にＳから（Ｓ×２−１）の番地情報（以下、アドレス情報という）を備えている。
特許文献２には、２層媒体での第２層のアドレス情報が第１層のアドレス情報をビット反転又は符号反転させた光情報媒体について開示されている。
特許文献３には、２層媒体において、第一の記録層と第二の記録層に共通のアドレスマークを配置し、それらは異なるピット列の凹凸の並びで配置されており、アドレスマークの再生信号のパターンを検出することにより記録層を識別するという記載がある。
【０００３】
ところで、記録可能な光ディスクにおいては、未記録の状態でも現在位置や記録目標位置を特定するため、予めアドレス情報を埋め込んでおく必要がある。
上記特許文献１の技術では、１層目の記録層のセクタ数をＳとして０から通番でアドレス情報を埋め込み、２層目の記録層のアドレス情報はＳから始まるようにしている。しかし、具体的にどのような光学的形式で未記録の光ディスクにアドレス情報を埋め込むのかについては何ら開示していない。また、このアドレス情報を埋め込むための光学的形式は、記録データの記録後は、その記録データの信号に干渉しない形式でなければならないが、この点についても全く開示されていない。
更に、１層の記録層のセクタ数Ｓが光ディスクにより異なる場合（例えば、ディスク系が異なるか或いはトラック数が異なることにより、１層当りの記憶容量が光ディスクにより異なる場合）、２層目の記録層のアドレス情報が何処から始まるか分からないため、２層目の記録層のアドレス情報だけから、光ディスクの半径方向における、そのアドレス情報の位置を計算することができないという不具合もあるが、この点に関しても何も記載されていない。
また、上記特許文献２には、２層の光情報媒体のためのアドレス情報割付技術は開示されているが、３層以上の多層光情報媒体におけるアドレス情報の割付については具体的に何も記載されていない。
特許文献３には、２層のアドレス情報を判別するために、それぞれ共通のアドレス情報であるが物理的な凹凸の違いによるピット列を用いた発明が開示されている。しかし、この発明は３層以上の多層には適用できない。
【０００４】
【特許文献１】特開２０００−２９３９４７公報
【特許文献２】特開２００４−２９５９５０公報
【特許文献３】特開２０００−２９３８８９公報
【発明の開示】
【発明が解決しようとする課題】
【０００５】
本発明は、３層以上の多層光情報媒体における情報層（記録層）の積層数が異なっていても、各情報層（記録層）のアドレス情報を容易に取得できる多層光情報媒体とその光情報処理装置、並びに実行プログラム及びそれを備えた情報媒体の提供を目的とする。
【課題を解決するための手段】
【０００６】
上記課題は、次の１）〜１７）の発明によって解決される。
１）  情報層を３層以上有する多層構造であって、各情報層に位置を示すアドレス情報がらせん状に記録されている多層光情報媒体において、該アドレス情報のアドレスを示す数値が内周部から外周部に向って増加していく層（以後、ＩｔｏＯ層という）と、外周部から内周部に向って増加していく層（以後、ＯｔｏＩ層という）を有し、ＩｔｏＯ層とＯｔｏＩ層は、それぞれ全て略同一のアドレス情報を有すると共に、各層を特定する情報がアドレス情報に付加されていることを特徴とする多層光情報媒体。
２）  前記各情報層が、記録データの書き込みが可能な記録層を有すると共に半径方向に蛇行したらせん状の案内溝を有し、該案内溝の蛇行に、前記アドレス情報が変調されて記録されていることを特徴とする１）記載の多層光情報媒体。
３）  ＩｔｏＯ層とＯｔｏＩ層とが交互に積層されていることを特徴とする１）又は２）記載の多層光情報媒体。
４）  ＯｔｏＩ層のアドレス情報が、ＩｔｏＯ層のアドレス情報のビット反転であることを特徴とする１）〜３）の何れかに記載の多層光情報媒体。
５）  ＯｔｏＩ層のアドレス情報又はＩｔｏＯ層のアドレス情報が、隣接した層のアドレス情報のビット反転であることを特徴とする１）〜３）の何れかに記載の多層光情報媒体。
６）  ＯｔｏＩ層のアドレス情報が、ＩｔｏＯ層のアドレス情報の符号反転であることを特徴とする１）〜３）の何れかに記載の多層光情報媒体。
７）  ＯｔｏＩ層のアドレス情報又はＩｔｏＯ層のアドレス情報が、隣接した層のアドレス情報の符号反転であることを特徴とする１）〜３）の何れかに記載の多層光情報媒体。
８）  ＩｔｏＯ層とＯｔｏＩ層とが交互に積層されており、各層がレイヤー情報及びアドレス情報を有すると共に、ＩｔｏＯ層のレイヤー情報及びアドレス情報とＯｔｏＩ層のレイヤー情報及びアドレス情報とが互いにビット反転された関係にあり、隣接するＩｔｏＯ層とＯｔｏＩ層を一つの組として組番号が付与され、該組番号と前記レイヤー情報を組み合わせて各層を特定する情報としたことを特徴とする１）記載の多層光情報媒体。
９）  ＩｔｏＯ層とＯｔｏＩ層とが交互に積層されており、各層がレイヤー情報及びアドレス情報を有すると共に、ＩｔｏＯ層のレイヤー情報及びアドレス情報とＯｔｏＩ層のレイヤー情報及びアドレス情報とが互いに符号反転された関係にあり、隣接するＩｔｏＯ層とＯｔｏＩ層を一つの組として組番号が付与され、該組番号と前記レイヤー情報を組み合わせて各層を特定する情報としたことを特徴とする１）記載の多層光情報媒体。
１０）  前記各情報層が、記録データの書き込みが可能な記録層を有すると共に半径方向に蛇行したらせん状の案内溝を有し、該案内溝の蛇行に、前記アドレス情報が変調されて記録されていることを特徴とする８）又は９）記載の多層光情報媒体。
１１）  アドレス情報が、記録データのデータアドレスに対して所定の変換が行なわれて当該データアドレスよりも少ない語長で表現されていることを特徴とする１）〜１０）の何れかに記載の多層光情報媒体。
１２）  アドレス情報の変調が位相変調であることを特徴とする２）〜７）及び１０の何れかに記載の多層光情報媒体。
１３）  アドレス情報の変調が周波数変調であることを特徴とする２）〜７）及び１０）の何れかに記載の多層光情報媒体。
１４）  アドレス情報の変調が振幅変調であることを特徴とする２）〜７）及び１０の何れかに記載の多層光情報媒体。
１５）  情報層を３層以上有する多層光情報媒体に対し、各情報層にらせん状に記録された位置を示すアドレス情報を読取る手段と、前記情報層の各層を特定する情報を取得する手段と、このアドレス情報及び各層を特定する情報を用いて前記情報層へのアクセスを行う手段と、アクセスした位置に記録されたデータの読取りを行う手段及び／又はアクセスした位置にデータの書き込みを行う手段とを実施する機能を備えたことを特徴とする１）〜１４）の何れかに記載の多層光情報媒体の光情報処理装置。
１６）  情報層を３層以上有する多層光情報媒体に対し、各情報層にらせん状に記録された位置を示すアドレス情報を読取る処理と、前記情報層の各層を特定する情報を取得する処理と、このアドレス情報及び各層を特定する情報を用いて前記情報層へのアクセスを行う処理と、アクセスした位置に記録されたデータの読取りを行う処理及び／又はアクセスした位置にデータの書き込みを行う処理とを、１５）記載の光情報処理装置に実行させるプログラム。
１７）  １６）記載のプログラムを記憶していることを特徴とする情報媒体。
【０００７】
以下、上記本発明について詳しく説明する。
本発明は、情報層を３層以上有する多層構造であって、各情報層に位置を示すアドレス情報がらせん状に記録されている多層光情報媒体において、該アドレス情報のアドレスを示す数値が内周部から外周部に向って増加していく層（以後、ＩｔｏＯ層という）と、外周部から内周部に向って増加していく層（以後、ＯｔｏＩ層という）を有し、ＩｔｏＯ層とＯｔｏＩ層は、それぞれ全て略同一のアドレス情報を有すると共に、各層を特定する情報がアドレス情報に付加されていることを特徴とする。
これにより、情報層を３層以上有する多層光情報媒体（ＲＯＭ、Ｒ、ＲＷ等）においても任意の位置にアクセス可能で、かつ、アドレス情報が記録されたデータに干渉することがなくなる。また、情報層の数が異なる場合でも、ある情報層のアドレス情報に所定の変換を行うことにより、他の情報層のアドレス情報も容易に取得することができる。
ＩｔｏＯ層とＯｔｏＩ層は、それぞれ全て略同一のアドレス情報を有する。ここで、略同一としたのは、全く同一である場合の他に、偏芯や、レーザ光路がシステムリードイン領域にかかってレーザ強度に影響を及ぼすことにより、例えば、その最内周部のアドレス情報が若干異なることもあり、このような全く同一のアドレス情報とは言えない場合も本発明に含まれるためである。但し、アドレス情報としての機能を失わない程度の同一性を有する範囲に限られることは言うまでもない。そして、ＩｔｏＯ層とＯｔｏＩ層は、それぞれ全て略同一のアドレス情報を有するので、同じ半径位置であれば略同一のアドレスということになり、情報層の数が異なる場合でも、ある情報層のアドレス情報に所定の変換を行うことにより、他の情報層のアドレス情報も容易に取得することができる。
【０００８】
また、前記各情報層が記録データの書き込みが可能な記録層を有すると共に、半径方向に蛇行したらせん状の案内溝を有する場合には、該案内溝の蛇行に、前記アドレス情報が変調して記録されていてもよい。
これにより、情報層を３層以上有する記録データの書き込みが可能な多層光情報媒体（Ｒ、ＲＷ等）において、記録データが未記録の状態でも、アドレス情報により任意の位置にアクセス可能で、かつ、アドレス情報が記録データに干渉することがない。また、情報層の積層数、即ち記録層の積層数が異なる場合でも、ある記録層のアドレス情報に所定の変換を行うことにより、他の記録層のアドレス情報も容易に取得することができる。
また、前記アドレス情報（アドレスを示す数値）に、各情報層に固有の情報〔レイヤー情報（レイヤーアドレス；Ｄａｔｅ  ＩＤ）〕が一体化されたフォーマットで収容されていてもよいし、アドレス情報とレイヤー情報が、別々のフォーマットで収容されていてもよい。
【０００９】
また、ＩｔｏＯ層とＯｔｏＩ層とが交互に積層されていることが好ましい。これによりシーケンシャル記録の際に情報層（記録層）間のジャンプのみで光情報媒体の半径方向の大移動が生じないため、リアルタイム映像などが情報層（記録層）間で途切れるのを防止することができる。
また、ＯｔｏＩ層のアドレス情報を、ＩｔｏＯ層のアドレス情報のビット反転又は符号反転とすることが好ましい。また、ＯｔｏＩ層のアドレス情報又はＩｔｏＯ層のアドレス情報を、隣接した層のアドレス情報のビット反転又は符号反転とすることが好ましい。これにより、簡単な変換処理で、同じ回路や計算アルゴリズムを用いて各情報層へのアクセスや記録データの送出タイミングの管理が行なえる。
【００１０】
また、ＩｔｏＯ層とＯｔｏＩ層とが交互に積層されており、各層がレイヤー情報及びアドレス情報を有すると共に、ＩｔｏＯ層のレイヤー情報及びアドレス情報とＯｔｏＩ層のレイヤー情報及びアドレス情報とが互いにビット反転或いは符号反転された関係にある場合に、隣接するＩｔｏＯ層とＯｔｏＩ層を一つの組として組番号を付与し、該組番号と前記レイヤー情報とを組み合わせて各層を特定する情報としてもよい。
レイヤー情報も一緒にビット反転すると、例えばＬ０からＬ１への変換は問題ないが、更にＬ１からＬ２へ変換すると元に戻ってしまう。即ち、Ｌ０のレイヤー情報を「０」として、Ｌ１用にビット反転すると「１」となり、層の判別ができる。しかし、Ｌ１のレイヤー情報「１」を更にビット反転すると「０」に戻ってしまい、この手法では３層以上の層を判別するアドレス管理ができない。
レイヤー情報も一緒に符号反転した場合も同様に、例えばＬ０のレイヤー情報を「＋」（プラス）としてＬ１用に符号反転すると「−」（マイナス）となり層の判別ができる。しかし、Ｌ１のレイヤー情報「−」を更に符号反転すると「＋」に戻ってしまい、この手法では３層以上の層を判別するアドレス管理ができない。
これに対し、上記本発明の態様では、レイヤー情報がビット反転或いは符号反転された、例えばＬ０（ＩｔｏＯ層）とＬ１（ＯｔｏＩ層）を一つの組として組番号を付与することにより、３層以上の多層光情報媒体のアドレス管理を行うことができる。
更に、上記本発明の態様においても、各情報層が、記録データの書き込みが可能な記録層を有すると共に半径方向に蛇行したらせん状の案内溝を有する場合には、該案内溝の蛇行に、前記アドレス情報が変調されて記録されていてもよく、その効果は前述した場合と同様である。
【００１１】
また、アドレス情報が、記録データのデータアドレスに対して所定の変換が行なわれて当該データアドレスよりも少ない語長で表現されていることが好ましい。
これにより、低密度なアドレス情報の埋め込み形式でも対応でき、アドレス情報の記録データへの干渉も抑制できる。
また、アドレス情報の変調には、位相変調、周波数変調、振幅変調を用いることが好ましい。これにより、位相変調されているものを復調すれば、アドレス情報を容易に取得することができる。
【００１２】
本発明の情報層を３層以上有する多層光情報媒体の書込み及び／又は読取りには、該多層光情報媒体に対し、各情報層にらせん状に記録された位置を示すアドレス情報を読取る手段と、前記情報層の各層を特定する情報を取得する手段と、このアドレス情報及び各層を特定する情報を用いて前記情報層へのアクセスを行う手段と、アクセスした位置に記録されたデータの読取りを行う手段及び／又はアクセスした位置にデータの書き込みを行う手段とを実施する機能を備えた光情報処理装置を用いる。
また、情報層を３層以上有する多層光情報媒体に対し、各情報層にらせん状に記録された位置を示すアドレス情報を読取る処理と、前記情報層の各層を特定する情報を取得する処理と、このアドレス情報及び各層を特定する情報を用いて前記情報層へのアクセスを行う処理と、アクセスした位置に記録されたデータの読取りを行う処理及び／又はアクセスした位置にデータの書き込みを行う処理とを、上記光情報処理装置に実行させるプログラムを用意するとよい。
上記光情報処理装置及びプログラムを採用することにより、アドレス情報は記録データが未記録の状態でも任意の位置にアクセス可能で、しかも、アドレス情報が記録データに干渉することがない。
また、上記プログラムを多層光情報媒体に記憶させておけば、上記処理を光情報処理装置に容易に実行させることができる。
【発明の効果】
【００１３】
本発明によれば、３層以上の多層光情報媒体における情報層の積層数が異なっていても、各情報層のアドレス情報を容易に取得できる多層光情報媒体とその情報処理装置、及び、該情報処理装置に書込み及び／又は読取りを実行させるプログラムを提供できる。
【実施例】
【００１４】
以下、実施例により本発明の実施の形態について説明するが、本発明はこれらの実施例により限定されるものではない。特に、ここでは従来技術であるＤＶＤを用いて説明しているが、本発明は、例えば青色レーザを用いた高密度次世代光情報記録媒体にも使用できる。
なお、以下の説明では、次のような接尾語又は記号を用いる。
例えば、「１２ＢＤｈ」における接尾語「ｈ」は１６進数を示し、この例は、１６進数の「１２ＢＤ」を示す。「００１０ｂ」における接尾語「ｂ」は２進数を示し、この例は２進数の「００１０」を示す。「１２３４ｄ」における接尾語「ｄ」は１０進数を示し、この例は１０進数の「１２３４」を示す。「＊」は乗算を、「／」は除算を示す。
【００１５】
実施例１
図１に、本発明の多層光情報媒体の構成例を示す。この例はＤＶＤ（Ｄｉｇｉｔａｌ  Ｖｅｒｓａｔｉｌｅ  Ｄｉｓｃ：ディジタル多用途ディスク）に本発明を応用したものであり、情報層が多層構造となっている。
光ディスク１０１のレーザ照射側から順に、Ｌａｙｅｒ０、Ｌａｙｅｒ１、Ｌａｙｅｒ２、……（以後、Ｌ０、Ｌ１、Ｌ２、……という）と命名するが、層の命名の順序、層の読み出しの順序、層の記録の順序はこの逆であっても良い。
例えばデータの読み込み又は書き込みの最初はＬ０の最内周１から始まり、外周部に向かってらせん上を移動する（ＩｔｏＯ層）。データ領域の最外周２まで移動するとその上部に位置するＬ１の最外周３に移動する。ビデオデータのように連続記録や再生をするとき、Ｌ０の最外周２まで記録再生したあと、Ｌ１に移動するとき、一度光ディスクの内周部へ移動する必要がないため、最小のアクセス時間でよくなる。したがって、長いアクセス時間により映像が途切れたりすることを防止できる。連続（シーケンシャル）記録再生時は、Ｌ０の最外周２に続いて、Ｌ１の最外周３に移動し、以後、Ｌ１の内周に向かってトラック追跡されることになる。Ｌ１では外周部から内周部へらせん上を移動し（ＯｔｏＩ層）、今度は最内周４に達するとＬ２の最内周５へと移動する。これをＯＴＰ（Ｏｐｐｏｓｉｔｉｃ  Ｔｒａｃｋ  Ｐａｔｈ）と呼ぶ。このような操作を順次繰り返すことにより３層以上の情報層を持つ多層光情報媒体の情報の読み込み、記録を効率良く行うことができる。
【００１６】
アドレス情報（データアドレス）については、例えばデータ領域の最内周のアドレス情報が  ０３００００ｈ、データ領域の最外周のアドレス情報が  ２６０５４Ｆｈとなっている。この  ０３００００ｈより内側はシステムリードイン領域であり、ユーザデータ以外のダミーデータや補助的データが記録される。２６０５４Ｆｈより外側はミドル領域と呼ばれ、ダミーデータが記録される。
本実施例では、このアドレス情報に、各層を特定する情報としてレイヤー情報を付加する。
図５により、レイヤー情報及びアドレス情報の付与方式を説明する。
例えばレイヤー情報はアドレス情報の上位ビットに付加する方法がある。
Ｌ０層ならば、データ領域の最内周１のアドレス情報  ０３００００ｈに対し、上位ビットにレイヤー情報としてＬ０を表す「０」を付加して  ０  ０３００００ｈとし、同様に最外周２を  ０  ２６０５４Ｆｈとする。同様にしてＬ２のアドレス情報の上位ビットには「２」を付加し、例えば最内周ならば  ２  ０３００００ｈとする。
また、ＩｔｏＯ層又はＯｔｏＩ層は、それぞれ、レイヤー情報以外は略同一のアドレス情報を有し、例えばＬ２では、データ領域の最内周５を  ２  ０３００００ｈ、最外周６を  ２  ２６０５４Ｆｈとし、Ｌ４ではデータ領域の最内周９を  ４  ０３００００ｈ、最外周１０を  ４  ２６０５４Ｆｈとする。
【００１７】
本実施例においては、レイヤー情報はビット反転を行わず、アドレス情報のビット反転だけを行う。例えば、ＯｔｏＩ層のアドレス情報を、ＩｔｏＯ層のアドレス情報をビット反転させたものにすれば、Ｌ１層の最外周３は  ０  ２６０５４Ｆｈをビット反転させた  １  Ｄ９ＦＡＢ０ｈとなり、Ｌ１層の最内周４は  ０  ０３００００ｈをビット反転させた  １  ＦＣＦＦＦＦｈとなる。
これにより、簡単な変換処理で、同じ回路や計算アルゴリズムを用いて、各情報層へのアクセスや記録データの送出タイミングの管理が行なえるようになる。
なお、レイヤー情報をビット反転させた後、結果的にレイヤー情報が判別できるように工夫してもよい。
また、ここでは単純化してアドレス情報の上位ビットにレイヤー情報を付加すると記載したが、実際の媒体上のレイヤー情報では、例えばＲＯＭ媒体のようにビットで情報が挿入されている場合、データ領域の前半にアドレスインフォメーションを記載するフレームが存在する。その中にレイヤー情報の記載されるフレームがあるので、アドレス情報とは別のフレームにレイヤー情報を記載する場合もある。本発明はこのような態様も含むものとする。
【００１８】
上記ビット反転を符号反転という手法に変えても、その効果は全く同じである。
ＯＴＰの光ディスク１０１におけるＬ１の物理アドレス番号ＰＳＮ（Ｐｈｙｓｉｃａｌ  Ｓｅｃｔｏｒ  Ｎｕｍｂｅｒ）は、同じ半径位置においては、Ｌ０のＰＳＮに所定の変換（ビット反転など）を施したものとする。即ち、Ｌ０のＰＳＮ：  ０３００００ｈの位置では、Ｌ１は  ＦＣＦＦＦＦｈになる。ビット２３を符号ビットとして負数を２の補数で表現する場合、  −０３００００ｈ（マイナス０３００００ｈ）は  ＦＤ００００ｈであるから、１違うだけである。したがって、ビット反転は２の補数表現ではほぼ符号反転といってよい。
【００１９】
また、例えば図１のＬ２であるＩｔｏＯ層のアドレス情報として、Ｌ１のＯｔｏＩ層のアドレス情報をビット反転して用いることができる。このような場合、Ｌ０の始点とＬ１の終点の位置が異なると、Ｌ２の始点はＬ０の始点と開始のアドレス番号が異なることになる。しかし、ＩｔｏＯ層各層の半径位置とそのアドレス情報はほぼ同じであり、ＩｔｏＯ同士であれば略同一のアドレス情報を有していると言える。ＯｔｏＩ層も同様である。
上記の例では、Ｌ０の最内周部の  ０  ０３００００ｈのアドレス情報をビット反転したＬ１の最内周は  １  ＦＣＦＦＦＦｈであるとしたが、偏芯の影響や、レーザ光路がシステムリードイン領域にかかってレーザ強度に影響を及ぼすことを考慮するなどの理由により、若干外周部側でデータ領域を終了させる場合がある。例えばＬ１の最内周部が、Ｌ０の開始位置に係る情報  ０  ０３００００ｈのアドレス情報をビット反転した  １  ＦＣＦＦＦＦｈではなく、  １  ＦＣＦＦＦＤｈで終了している場合、Ｌ１の最内周部のアドレス情報をビット反転させたＬ２の開始位置に係る情報は  ２  ０３０００２ｈとなる。このようにＩｔｏＯ層とＯｔｏＩ層は、それぞれ全て略同一のアドレス情報を有するが、若干異なっている可能性もある。しかし、同じ半径位置であれば略同一アドレスということになり、情報層の数が異なる場合でも、ある情報層のアドレス情報に所定の変換を行うことにより、他の情報層のアドレス情報も容易に取得することができる。
また、Ｌ１の最外周３のアドレス情報は、Ｌ０の最外周２のアドレス情報を完全にビット反転したものである必要は無く、ビット反転した値に略同一の値であっても良い。
【００２０】
実施例２〜４
図２〜図４に、本発明の多層光情報媒体の別の構成例（実施例２〜４）を示す。これらの例はＤＶＤに本発明を応用したものであり、情報層が多層構造となっている。
光ディスク１０１のレーザ照射側から順に、Ｌａｙｅｒ０、Ｌａｙｅｒ１、Ｌａｙｅｒ２、……（以後、Ｌ０、Ｌ１、Ｌ２、……という）と命名するが、層の命名の順序、層の読み出しの順序、層の記録の順序はこの逆であっても良い。
まず、図２（実施例２）について説明する。
例えばデータの読み込み又は書き込みの最初はＬ０の最内周１から始まり、外周部に向かってらせん上を移動するＩｔｏＯ層であり、次のＬ１も同様にＩｔｏＯ層である。
Ｌ２はＯｔｏＩ層で次のＬ３もＯｔｏＩ層というように、２層毎にＩｔｏＯとＯｔｏＩが繰り返される。
この層の並び方では、一度外周部へ行ったデータの読み込み部が、層を変わると、もう一度内周部へ移動しなければならない箇所も出てくるが、略同一半径位置に略同一アドレスのある層が並ぶことになり、それらはレイヤー情報だけで判別できるため、アドレス管理が便利になる場合もあり、このような順序にしてもよい。
また、図３（実施例３）のように、Ｌ０〜Ｌ２までがＩｔｏＯ層で、Ｌ３〜Ｌ５までがＯｔｏＩ層としたり、図４（実施例４）のように、Ｌ０〜Ｌ２までがＯｔｏＩ層で、Ｌ３〜Ｌ５までがＩｔｏＯ層としてもよい。
ビット反転について、図２を例として説明すると、例えばＬ０のアドレス情報をビット反転したアドレス情報はＬ２に付与され、Ｌ１のアドレス情報をビット反転したアドレス情報はＬ３に付与される。
【００２１】
実施例５〜６
図６、図７に、本発明の多層光情報媒体の別の構成例（実施例５、６）を示す。これらの例はＤＶＤに本発明を応用したものであり、情報層が多層構造となっている。
光ディスク１０１のレーザ照射側から順に、Ｌａｙｅｒ０、Ｌａｙｅｒ１、Ｌａｙｅｒ２、……（以後、Ｌ０、Ｌ１、Ｌ２、……という）と命名するが、層の命名の順序、層の読み出しの順序、層の記録の順序はこの逆であっても良い。
まず、図６（実施例５）について説明する。
アドレス情報、データ領域、システムリードイン領域、ミドル領域については、実施例１で示した図５と同じである。
本実施例では、アドレス情報に対し、各層を特定する情報としてレイヤー情報と組情報を付加する。例えばレイヤー情報をアドレス情報の上位ビットに付加し、更にその上位ビットに組情報を付加する。
Ｌ０層ならば、データ領域の最内周１のアドレス情報  ０３００００ｈの上位ビットにＬ０を表す「０」をレイヤー情報として付加して  ０  ０３００００ｈとし、同様に最外周２を  ０  ２６０５４Ｆｈとする。本実施例では、このレイヤー情報とアドレス情報を一緒にビット反転してＬ１のレイヤー情報及びアドレス情報とした。即ち、ＩｔｏＯ層であるＬ０のレイヤー情報とアドレス情報をビット反転させたものを、ＯｔｏＩ層であるＬ１のレイヤー情報及びアドレス情報にすれば、Ｌ１層の最外周３は  ０  ２６０５４Ｆｈをビット反転させた  Ｆ  Ｄ９ＦＡＢ０ｈとなり、Ｌ１層の最内周４は  ０  ０３００００ｈをビット反転させた  Ｆ  ＦＣＦＦＦＦｈとなる。このレイヤー情報を表す上位ビットが「Ｆ」であると分かれば、この層はＬ１であると判別される。しかし、このレイヤー情報を更にビット反転させてＬ２を表そうとすると、その値は「０」に戻ってしまう。したがって、本実施例では、このＬ０とＬ１を一つの組として組番号を付与し、この組番号をレイヤー情報よりも更に上位ビットとして付加した。
【００２２】
即ち、Ｌ０の最内周部の位置に係る情報（組情報、レイヤー情報及びアドレス情報）が、  ０  ０  ０３００００ｈのとき、Ｌ１の最内周部の位置に係る情報は、Ｌ０のレイヤー情報とアドレス情報をビット反転させた  ０  Ｆ  ＦＣＦＦＦＦｈとなる。更に、このＬ１の最内周部のレイヤー情報とアドレス情報をビット反転させると、組番号が変わって  １  ０  ０３００００ｈとなり、Ｌ２の情報であることが分かる。以下、Ｌ３は  １  Ｆ  ＦＣＦＦＦＦｈ、Ｌ４は  ２  ０  ０３００００ｈと続く。
これにより、簡単な変換処理で、同じ回路や計算アルゴリズムを用いて各情報層へのアクセスや記録データの送出タイミングの管理が行なえるようになった。
また、ここでは単純化してアドレス情報の上位ビットに組番号とレイヤー情報を付加すると記載したが、実際の媒体上のレイヤー情報では、例えばＲＯＭ媒体のようにビットで情報が挿入されている場合、データ領域の前半にアドレスインフォメーションを記載するフレームが存在する。その中にレイヤー情報が記載されるフレームがあるので、アドレス情報とは別のフレームにレイヤー情報を記載する場合もある。また、組番号はレイヤー情報が格納されているフレームに併せて格納しても良いし、そのフレームに余裕が無ければ、リザーブなどの予備フレームに新たに組番号を格納するフレームを作っても良い。本発明はこのような態様も含むものとする。
【００２３】
また、本実施例では、例えば図６のＬ２であるＩｔｏＯ層のレイヤー情報及びアドレス情報として、Ｌ１のＯｔｏＩ層のレイヤー情報及びアドレス情報をビット反転して用いることができることを示した。このような場合、Ｌ０の始点とＬ１の終点の位置が異なると、Ｌ２の始点はＬ０の始点と開始のアドレス番号が異なることになる。しかし、ＩｔｏＯ層各層の半径位置とそのアドレス情報はほぼ同じであり、ＩｔｏＯ同士であれば略同一のアドレス情報を有していると言える。ＯｔｏＩ層も同様である。
上記の例では、Ｌ０の最内周部の位置に係る情報  ０  ０  ０３００００ｈのうちのレイヤー情報とアドレス情報をビット反転したＬ１の最内周は  ０  Ｆ  ＦＣＦＦＦＦｈであるとしたが、偏芯の影響や、レーザ光路がシステムリードイン領域にかかってレーザ強度に影響を及ぼすことを考慮する等の理由により、若干外周部側でデータ領域を終了させる場合がある。例えばＬ１の最内周部の位置に係る情報が、Ｌ０の開始アドレス  ０  ０  ０３００００ｈのレイヤー情報とアドレス情報をビット反転した  ０  Ｆ  ＦＣＦＦＦＦｈではなく、  ０  Ｆ  ＦＣＦＦＦＤｈで終了している場合、そのＬ１のレイヤー情報とアドレス情報をビット反転させたＬ２の開始アドレスは  １  ０  ０３０００２ｈとなる。このようにＩｔｏＯ層とＯｔｏＩ層は、それぞれ全て略同一のアドレス情報を有するが、若干異なっている可能性もある。しかし、同じ半径位置であれば略同一アドレスということになり、情報層の数が異なる場合でも、ある情報層のアドレス情報に所定の変換を行うことにより、他の情報層のアドレス情報も容易に取得することができる。
また、Ｌ１の最外周３のレイヤー情報及びアドレス情報は、Ｌ０の最外周２のレイヤー情報及びアドレス情報を完全にビット反転したものである必要は無く、ビット反転した値に略同一の値であっても良い。
【００２４】
更に、図７（実施例６）に示すように、各組の偶数層（Ｌ０、Ｌ２、Ｌ４……）に同一のＩｔｏＯ用のレイヤー情報及びアドレス情報を付与し、奇数層（Ｌ１、Ｌ３、Ｌ５……）は隣接する偶数層のレイヤー情報とアドレス情報をビット反転させた態様としても良い。この手法ならば、ＩｔｏＯ層とＯｔｏＩ層は、それぞれ同じレイヤー情報とアドレス情報を有しており、組番号だけが違うことになる。そして、他の情報層のアドレス情報を更に容易に取得することができる。
【００２５】
上記ビット反転を符号反転と言う手法に変えても、その効果は全く同じである。
ＯＴＰの光ディスク１０１におけるＬ１の物理アドレス番号ＰＳＮ（Ｐｈｙｓｉｃａｌ  Ｓｅｃｔｏｒ  Ｎｕｍｂｅｒ）は、同じ半径位置においては、Ｌ０のＰＳＮに所定の変換（ビット反転など）を施したものとする。即ち、Ｌ０のＰＳＮ：  ０３００００ｈの位置では、Ｌ１は  ＦＣＦＦＦＦｈになる。ビット２３を符号ビットとして負数を２の補数で表現する場合、  −０３００００ｈ（マイナス０３００００ｈ）は  ＦＤ００００ｈであるから、１違うだけである。したがって、ビット反転は２の補数表現ではほぼ符号反転といってよい。故に、ビット反転での説明と同様に、Ｌ０とＬ１を一つの組として組番号を付与し、この組番号をレイヤー情報よりも更に上位ビットとして付加すれば、Ｌ２以降の多層アドレスも区別することができる。
【００２６】
実施例７
図８〔（ａ）は断面図、（ｂ）は平面図〕に示すように、例えばＬ０には案内溝（Ｇｒｏｏｖｅ）１０６がディスクの内周から外周方向へらせん状に刻まれている。この案内溝上又は案内溝間を光ヘッドが追跡しながら情報の記録再生を行なう。案内溝間の部分１０５はランド（Ｌａｎｄ）と呼ばれる。
この案内溝は一定のらせんピッチ（トラックピッチ１０４）を持っており、更に光ディスク１０１の半径方向に微小量、正弦波状に蛇行している。この蛇行をウォブル（Ｗｏｂｂｌｅ）という。ウォブル量は、光ヘッドのトラック追跡や、記録されたデータに干渉しないようにトラックピッチ１０４よりも十分小さくする必要がある。例えばトラックピッチの５％程度が好ましい。即ち、トラックピッチ１０４が０．７４μｍならば０．０３μｍ程度の蛇行幅になる。
ウォブルのトラック方向の周期１０７は、短い方が検出分解能が向上するので望ましいが、やはり記録データ信号と周波数域が干渉すると検出できなくなるので、あまり短くはできない。例えば、５μｍ程度が選択される。
ウォブルは平均的には空間的に一定周期としておくことで、この周波数に合わせて光情報記録再生装置の回転モータを回すとＣＬＶ（線速度一定）制御ができる。また、ウォブルに同期したクロック信号を生成することにより、記録データクロックとしても使うことができる。
【００２７】
案内溝のウォブルには適当な変調がかけられており、この変調によりアドレス情報やその他の補助的情報を埋め込むことができる。これにより、記録前の状態であっても、光ディスク上の任意の位置を検索することができ、任意の位置にデータ記録が行なえる。
図９にウォブル変調の一例を示す。図９の横方向がトラック方向（タンジェンシャル方向）、縦方向が半径方向（ラディアル方向）である。これは位相変調の例であり、０度位相の正弦波１１１を「０」、１８０度位相の正弦波１１２を「１」として扱うことで、ディジタル情報を埋め込むことができる。なお、変調方式としては、この位相変調のほか、周波数変調や振幅変調を用いてもよい。
このような、案内溝のウォブル変調によりアドレス情報を埋め込むこと、あるいは埋め込まれたアドレス情報のことを、ＤＶＤではＡＤＩＰ（ＡＤｄｒｅｓｓ  Ｉｎ  Ｐｒｅ−ｇｒｏｏｖｅ）という。
図１０は、このＡＤＩＰと記録データのＰＳＮの関係の一例を示す説明図である。一般にＡＤＩＰは記録データに干渉しないように作る必要があるため、記録密度を高くできない。したがって、アドレスはＰＳＮの数セクタ分で一つの番号としている。
図１０の例では、４セクタ（ＰＳＮ）で１つのＡＤＩＰアドレスを表すようにしている。したがって、ＡＤＩＰは記録データのアドレスより少ない語長で表現される。図１０の例では６桁のＡＤＩＰで書いているが、レイヤー情報を付加した７桁でも良い。例えば  Ｌ０のＡＤＩＰは、Ｌ０が００Ｃ０００ｈから始まるが層番号０を上位ビットとして０００Ｃ０００ｈとしても良い。しかし、ここのＰＳＮの説明ではレイヤー情報は省略して説明する。これはＰＳＮを４で割った値である。
図１０を参照して説明したように、４つのＰＳＮで１つのＡＤＩＰとしているので、このように対応する。以下、全てのＡＤＩＰを「ＰＳＮ／４」とすればよい。Ｌ０の最外周のＰＳＮ：２６０５４Ｆｈに対応するＡＤＩＰは０９８１５３ｈである。また、Ｌ１の最外周のＰＳＮ：Ｄ９ＦＡＢ０ｈに対応するＡＤＩＰは３６７ＥＡＣｈであり、最内周のＰＳＮ：ＦＣＦＦＦＦｈに対応するＡＤＩＰは３Ｆ３ＦＦＦｈである。そして、Ｌ１の最外周のＰＳＮ：Ｄ９ＦＡＢ０ｈに対応するＡＤＩＰは３６７ＥＡＣｈであるが、これは、Ｌ０のＡＤＩＰ：０９８１５３ｈをビット反転させた値にもなっている。また、ＡＤＩＰのビット２１を符号ビットとみて２の補数表現とすると、Ｌ０のＡＤＩＰ：０９８１５３ｈの負数−０９８１５３ｈから１を引いた値が３６７ＥＡＣｈなので、やはり１違うだけである。したがって、アクセスの運用上は符号反転として扱っても大差ない。
このようにして、ＯＴＰのＬ１のＡＤＩＰは、同じ半径位置のＬ０のＡＤＩＰのビット反転とする（また、符号反転としてもよい）。更に、全てのＡＤＩＰは、記録データＰＳＮ語長より２ビット短く、「ＡＤＩＰ＝ＰＳＮ／４（２ビット右シフト）」という関係がある。したがって、ＡＤＩＰとＰＳＮは、所定の変換、ここでは、４で除算するか４を乗算することにより、容易に一方から他方を導くことができる。
【００２８】
実施例８
図１１に、実施例１の光ディスクに対して情報の記録再生を行う光情報記録再生装置の一例を示す。図１１は、本発明の一実施の形態である光情報記録再生装置１１の概略構成を示すブロック図である。光ディスク１０１は、図示しないローディング機構により交換可能になっている。回転モータ１２は、光ディスクを回転させる。
光ヘッド１３は、記録再生用のレーザ光源であるレーザダイオード（ＬＤ）、光ディスクにレーザ光を集光させて光スポットを作り、その反射光を検出するための対物レンズなどの光学系、前記反射光を複数分割した光電変換器で電気信号に変換する受光素子、前記対物レンズを焦点方向と半径方向に移動して光ディスクの各記録層の焦点追跡と案内溝追跡を行なうためのレンズアクチェータ、光ヘッド１３の全体を光ディスクの半径方向に移動させるためのヘッドアクチェータなどを備えている（何れも図示せず）。これらは周知の構成であるため詳細な説明は省略する。
【００２９】
ＬＤ駆動部１４は、光ヘッド１３に実装された前記ＬＤを記録データに応じて変調してデータ記録を行なう。
アクチェータ駆動部１５は、周知の（図示しない）焦点追跡及び案内溝追跡手段により、焦点と案内溝追跡サーボ動作を行なうようにレンズアクチェータ、ヘッドアクチェータを駆動すると共に、アクセス制御部１６の指令により、記録データを書き込むべき目標位置（光ディスクの半径位置及び記録層の別）まで光ヘッド１３の光スポットを移動させるようにレンズアクチェータ、ヘッドアクチェータを駆動する。
データ記録制御部１７は、記録しようとする記録データが書き込まれるべき目標アドレスと、対応する光ディスクの位置とを比較して、一致したら記録データをＬＤ駆動部１４に送出する（詳細な動作は後述する）。
ウォブル検出部１８は、光ヘッド１３の受光素子の信号から光ディスクの案内溝の蛇行成分を検出する。具体的には、案内溝１０６に沿って分割された少なくとも２つの受光素子で、光スポットの反射光の１次回折光をそれぞれ検出する。この２つの受光素子の差信号はプッシュプル（Ｐｕｓｈ−Ｐｕｌｌ）信号と呼ばれ、これがウォブル成分を反映した信号となる。
【００３０】
記録クロック生成部１９では、ウォブル信号に位相同期したクロック信号を生成する。これは、一般には、ウォブル信号の逓倍クロックを生成するＰＬＬ回路である。そして、このクロック信号を基準に記録データをＬＤ駆動部１４に供給することで、光ディスク上の精密な位置に記録データを書き込むことができる。
ＣＬＶ（線速度一定）サーボ部２０は、ウォブル信号と基準信号（図示しない）とを位相比較した結果に応じて、回転モータ駆動部２１で回転モータ１２を駆動する。案内溝のウォブルは、一定の空間周波数で光ディスク１０１に刻まれているので、回転モータ１２が精密にウォブル信号に同期して回転することによりＣＬＶ制御が実現される。
ＡＤＩＰデコード部２２は、ウォブル信号の変調成分を復調して、ＡＤＩＰ情報を生成する。検出されたＡＤＩＰ情報は、データ記録制御部１７と、アクセス制御部１６に、現在の光ディスク１０１のアドレス情報として出力される。
そしてアクセス制御部１６では、記録データが示す目標アドレスと、ＡＤＩＰデコード部２２で検出した現在の光ディスク１０１のアドレスとを比較して、光ヘッド１３が集光する光スポットを目標のアドレスに近づけるように、アクチェータ駆動部１５に移動指令を送出する。
ＣＰＵ２３は、ＲＯＭ２４に記憶されている制御プログラムなどに基づき、ＲＡＭ２５を作業エリアとして、光情報記録再生装置１１の全体を集中的に制御する。
【００３１】
実施例９
実施例８で示した光情報記録再生装置１１の動作について、図１２を参照しつつ説明する。
図１２は、ＣＰＵ２３の制御に基づいてアクセス制御部１６が行う光ディスクへのアクセス動作について説明するフローチャートである。図１２の処理は、アクセス手段、アクセス処理を実現するものである。
まず、ＣＰＵ２３は、記録データが書き込まれるべき光ディスクの位置の目標となるアドレス（ＰＳＮ）をＮｔｇｔとして抽出する〔添え字の「ｔｇｔ」はターゲット（ｔａｒｇｅｔ）の意、以下同様〕。また、記録データが書き込まれるべき目標となる光ディスクの記録層（Ｌａｙｅｒ）をＬｔｇｔとして抽出する（ステップＳ１）。この目標となるアドレスや記録層は、記録データとは別に上位装置（後述する情報処理装置５１）から指示されるようにしてもよいが、記録データ系列自体に埋め込まれた形式であってもよい。
【００３２】
次に、ＣＰＵ２３の指示により、アクセス制御部１６は、ＡＤＩＰデコード部２２からのＡＤＩＰデータにより、光ヘッド１３が捉えている現在のアドレスＮｃｕｒと現在の記録層Ｌｃｕｒを抽出する（ステップＳ２）〔添え字の「ｃｕｒ」はカレント（ｃｕｒｒｅｎｔ）の意、以下同様〕。
即ち、ＣＰＵ２３は、ウォブル検出部１８により、光ヘッド１３の受光素子の信号から、光ディスクの案内溝１０６の蛇行成分を検出し（読取手段、読取処理）、この蛇行成分に位相変調、周波数変調、振幅変調などで変調されているＡＤＩＰデータを復調する（アドレス情報取得手段、アドレス情報取得処理）。
そして、ここでは、ＡＤＩＰデータの示すアドレスを４倍したものをＮｃｕｒとする。前述のように、ＡＤＩＰアドレスは「ＰＳＮ／４」であるから、目標となるＰＳＮとの比較のために４倍して単位を揃える。
現在の記録層Ｌｃｕｒは、ＡＤＩＰアドレスの層を特定する情報を読み込むことにより判別され、目標となる記録層Ｌｔｇｔと現在の記録層Ｌｃｕｒが等しいかどうか判断する（ステップＳ３）。等しければ（ステップＳ３のＹ）、ステップＳ５に進み、等しくなければ（ステップＳ３のＮ）、ステップＳ４に進む。
【００３３】
ステップＳ４では、ＬｔｇｔとＬｃｕｒの差をとって、その値により記録層間のジャンプの方向と数を決め、記録層間のジャンプ（フォーカスジャンプ）を行なう（ステップＳ４）。例えば、ＬｔｇｔとＬｃｕｒの差の値が正で、Ｌａｙｅｒ番号が増える場合の方向（図１の光ディスク１０１では上方向の記録層へのジャンプ）を決めておく。即ち、Ｌｔｇｔが１でＬｃｕｒが０であれば、「Ｌｔｇｔ−Ｌｃｕｒ＝１」なので、上方向に記録層１層分のジャンプであり、「Ｌｔｇｔ＝０，Ｌｃｕｒ＝１」なら「Ｌｔｇｔ−Ｌｃｕｒ＝−１」なので、下方向に記録層１層分のジャンプである。
この記録層間のフォーカスジャンプは、具体的には、光ヘッド１３の対物レンズを上下方向に駆動して焦点を別の記録層に移すことで行なうが、この点については周知であるため詳細な説明は省略する。このようなフォーカスジャンプを行うと、再びステップＳ２以降の処理を繰り返す。こうして現在の記録層Ｌｃｕｒが目標となる記録層Ｌｔｇｔに一致するまでフォーカスジャンプを繰り返す。このフォーカスジャンプのループを抜けたあとは、ステップＳ５に進む。
ステップＳ５では、まず、現在のアドレスＮｃｕｒが例えば偶数か奇数かどうか判断する。ＡＤＩＰアドレスは、光ディスクがＯＴＰの場合、奇数なら逆スパイラルにあるし、偶数（Ｌ０を含む）なら正スパイラルにあると分かる。
【００３４】
ステップＳ６、Ｓ７では、アドレスをトラック番号Ｔに変換する演算を行う。トラック番号とは、案内溝１０６の本数であり、ＰＳＮ：０３００００ｈの位置するトラックを０として一周ごとに１増える。ＣＬＶフォーマットのような線密度一定ディスクでは、任意のＰＳＮにおけるトラック本数ＴはトラックピッチＴｐと１セクタの長さａから計算できる。これは、例えば以下の式（１）で計算する。
Ｔ＝ｓｑｒｔ〔（ＰＳＮ−０３００００ｈ）×ａ×Ｔｐ／ｐｉ＋ｒ０２〕／Ｔｐ
−ｒ０／Ｔｐ  ……（１）
｛式中、ａ：物理セクタ長、ｒ０：ＰＳＮが３００００ｈに位置するときの光ディスク
１０１の半径、ｓｑｒｔ〔〕：平方根、ｐｉ：円周率｝
ステップＳ６では、正スパイラルであるから、式（１）でそのまま目標のアドレスＮｔｇｔと現在のアドレスＮｃｕｒの位置するトラック番号を計算する。Ｎｔｇｔの位置するトラック番号をＴｔｇｔ、Ｎｃｕｒの位置するトラック番号をＴｃｕｒとする。
ステップＳ７では、逆スパイラルであるから、現在のアドレスを符号反転（ビット反転による場合はビット反転）すれば（変換手段、変換処理）、正スパイラルと同様に計算できるので、−Ｎｃｕｒとしてトラック番号を式（１）で計算する。目標となるアドレスの方は、記録データ目標位置指示が同じ形式で表現されているのが望ましく、同じように符号反転（ビット反転による場合はビット反転）してトラック番号を求める。
【００３５】
ステップＳ８においては、目標となるトラック番号Ｔｔｇｔと現在のトラック番号Ｔｃｕｒとを比較する。これらが一致すれば（ステップＳ８のＹ）、現在位置は目標セクタの位置するトラック円周内に居ることになるので、光ディスクの半径方向の移動は必要なく、あとは単に現在のトラックを追跡して目標アドレスが到来するのを待てばよいだけであるため、一連のアクセス動作を終了する。
不一致であるときは（ステップＳ８のＮ）、再び現在アドレスＮｃｕｒが正か否かを判断し（ステップＳ９）、正なら（ステップＳ９のＹ）、正スパイラルなのでステップＳ１０へ進み、負なら（ステップＳ９のＮ）、逆スパイラルなのでステップＳ１１へ進む。
【００３６】
ステップＳ１０、Ｓ１１では、トラック番号の差「Ｔｔｇｔ−Ｔｃｕｒ」の本数だけ、光ディスク１０１の半径方向を移動する。これをトラックジャンプという。そのジャンプ方向は、例えば光ディスクの外周向きを正とする。
ステップＳ１０では、正スパイラルの場合であるから、ＴｔｇｔがＴｃｕｒより大きいときは光ディスク１０１の外周向きにジャンプすべきであり、「Ｔｔｇｔ−Ｔｃｕｒ」だけトラックジャンプする。「Ｔｔｇｔ＞Ｔｃｕｒ」なら結果は正なので、ジャンプは外周向きになる。
ステップＳ１１では、逆スパイラルの場合であるから、ＴｔｇｔがＴｃｕｒより大きいときは、光ディスク１０１の内周向きにジャンプすべきであり、「Ｔｃｕｒ−Ｔｔｇｔ」だけトラックジャンプする。「Ｔｔｇｔ＞Ｔｃｕｒ」なら結果は負なので、ジャンプは内周向きになる。
このようなトラックジャンプ（ステップＳ１０、Ｓ１１）の後は、再びステップＳ２に戻って現在アドレスを確認する。これは、ジャンプ距離に誤差があり、繰り返しにより漸近させていくケースがあるからである。このようにしてアクセスループを終了した段階で、現在位置は目標セクタの１周手前以内に位置付けられている。
【００３７】
図１３は、ＣＰＵ２３の制御に基づくデータ記録制御部１７の記録動作を説明するフローチャートである。図１３の処理は記録手段、記録処理を実現するものである。このような処理は、アクセス制御部１６により、図１２のアクセス動作を完了した時点から開始する。まずＣＰＵ２３は、記録データが記録されるべき目標となる光ディスク１０１上のアドレス（ＰＳＮ）をＮｔｇｔとして抽出する（ステップＳ２１）。この目標となるアドレスや記録データとは別に、上位装置（後述する情報処理装置５１）から指示されるようにしてもよいが、記録データ系列自体に埋め込まれた形式であってもよい。
次に、ＡＤＩＰデコード部２２からのＡＤＩＰデータより、光ヘッド１３の現在のアドレスＮｃｕｒを抽出する（ステップＳ２２）。ここでも、ＡＤＩＰアドレスを４倍したものをＮｃｕｒとする。前述のように、ＡＤＩＰアドレスは「ＰＳＮ／４」であるから、目標となるＰＳＮと比較するため４倍して単位を揃える。
そして、現在のアドレスＮｃｕｒが目標のアドレスＮｔｇｔに一致したかどうか判断する（ステップＳ２３）。一致すれば（ステップＳ２３のＹ）、ステップＳ２４へ進み、一致しなければ（ステップＳ２３のＮ）、ステップＳ２２へ戻って、次のＡＤＩＰアドレスを検出する。以上の処理を繰り返すことで、現在のアドレスＮｃｕｒが目標のアドレスＮｔｇｔに一致するまでループする。
最後に、現在のアドレスＮｃｕｒが目標のアドレスＮｔｇｔに一致したときは（ステップＳ２３のＹ）、記録データの送出を開始して、ＬＤ駆動部１４、光ヘッド１３により、光ディスクへの記録データの記録を開始する（ステップＳ２４）。
【００３８】
光情報記録再生装置１１が実行する光情報記録方法の詳細は、図１２、図１３を参照して説明したが、その概要を図１４のフローチャートを参照しつつ整理して説明する。
まず、ＣＰＵ２３は、ウォブル検出部１８により、光ヘッド１３の受光素子の信号から光ディスク１０１の案内溝１０６の蛇行成分を検出し（読取手段＝ステップＳ３１）、この蛇行成分に位相変調などによって変調されているＡＤＩＰデータを復調する（アドレス情報取得手段＝ステップＳ３２）。そして、Ｌ１のＡＤＩＰデータは、Ｌ０の光ディスク１０１の半径方向における同一位置のＡＤＩＰデータにビット反転、符号反転などの所定の簡易な変換を行うことにより取得することができる（変換手段＝ステップＳ３３）。
このようにして得られたＡＤＩＰデータを用いて、図１２の処理により、光ディスク１０１の記録層の所定位置に光ヘッド１３をアクセスする（アクセス手段＝ステップＳ３４）。そして、図１３の処理により、そのアクセスした位置の記録層に記録データを記録する（記録手段＝ステップＳ３５）。
【００３９】
実施例１０
図１５に、本発明の一実施の形態である情報処理装置５１の電気的な接続のブロック図を示す。情報処理装置５１は、パーソナルコンピュータなどのコンピュータで構成され、各種演算を行ない、各部を集中的に制御するＣＰＵ５２と、各種のＲＯＭやＲＡＭからなるメモリ５３とが、バス５４で接続されている。
バス５４には、所定のインターフェイスを介して、ハードディスクなどの磁気記憶装置５５と、マウスやキーボードなどで構成される入力装置５６と、ＬＣＤやＣＲＴなどの表示装置５７と、光ディスクなどの記憶媒体５８を読取る記憶媒体読取装置５９と、光情報記録再生装置１とが接続され、また、ネットワーク６０と通信を行なう所定の通信インターフェイス６１が接続されている。なお、通信インターフェイス６１は、ネットワーク６０を介してインターネットなどのＷＡＮに接続可能である。記憶媒体５８としては、ＣＤやＤＶＤなどの光ディスク、光磁気ディスク、フレキシブルディスクなどの各種方式の媒体を用いることができる。また、記憶媒体読取装置５９は、具体的には記憶媒体５８の種類に応じて光ディスクドライブ、光磁気ディスクドライブ、フレキシブルディスクドライブなどが用いられる。また、記憶媒体読取装置５９と光情報記録再生装置１１とを別個に示しているが、記憶媒体読取装置５９を光情報記録再生装置１１と同一の装置として構成してもよい。
【００４０】
また、前述の光情報記録再生装置１１の説明では、図１２、図１３の処理をＣＰＵ２３の制御により実行する場合を前提として説明したが、図１２、図１３の処理を磁気記憶装置５５に記憶されている制御プログラムに従って、情報処理装置５１が実行する制御により実現するようにしてもよい。
この場合に、磁気記憶装置５５に記憶されている制御プログラムは、この発明のプログラムを実施するもので、この発明の記憶媒体を実施する記憶媒体５８から記憶媒体読取装置５９により読取るか、あるいは、インターネットなどのＷＡＮからダウンロードするなどして、磁気記憶装置５５にインストールしたものである。このインストールにより情報処理装置５１は前述の制御について動作可能な状態となる。なお、この制御プログラムは所定のＯＳ上で動作するものであってもよい。また、特定のアプリケーションソフトの一部をなすものであってもよい。
【図面の簡単な説明】
【００４１】
【図１】本発明の多層光情報媒体の構成例を示す図。
【図２】本発明の多層光情報媒体の別の構成例を示す図。
【図３】本発明の多層光情報媒体の別の構成例を示す図。
【図４】本発明の多層光情報媒体の別の構成例を示す図。
【図５】レイヤー情報及びアドレス情報の付与方式を説明する図。
【図６】本発明の多層光情報媒体の別の構成例を示す図。
【図７】本発明の多層光情報媒体の別の構成例を示す図。
【図８】案内溝の説明図。（ａ）断面図、（ｂ）平面図。
【図９】ウォブル変調の一例を示す図。
【図１０】ＡＤＩＰと、記録データのＰＳＮの関係の一例を示す説明図。
【図１１】光情報記録再生装置１１の概略構成を示すブロック図。
【図１２】ＣＰＵ２３の制御に基づいてアクセス制御部１６が行う光ディスクへのアクセス動作について説明するフローチャート。
【図１３】ＣＰＵ２３の制御に基づくデータ記録制御部１７の記録動作を説明するフローチャート。
【図１４】光情報記録再生装置１１が実行する光情報記録方法の概要を説明するフローチャート。
【図１５】本発明の一実施形態である情報処理装置５１の電気的な接続のブロック図。
【符号の説明】
【００４２】
Ｌ０  レーザ照射側からみて最初の情報層
Ｌ１  レーザ照射側からみて２番目の情報層
Ｌ２  レーザ照射側からみて３番目の情報層
Ｌ３  レーザ照射側からみて４番目の情報層
Ｌ４  レーザ照射側からみて５番目の情報層
Ｌ５  レーザ照射側からみて６番目の情報層
１  Ｌ０情報層の最内周
２  Ｌ０情報層の最外周
３  Ｌ１情報層の最外周
４  Ｌ１情報層の最内周
５  Ｌ２情報層の最内周
６  Ｌ２情報層の最外周
７  Ｌ３情報層の最外周
８  Ｌ３情報層の最内周
９  Ｌ４情報層の最内周
１０  Ｌ４情報層の最外周
１１  光情報記録再生装置
１２  回転モータ
５１  情報処理装置
５４  バス
５８  記憶装置
６０  ネットワーク
１０１  光ディスク
１０４  トラックピッチ
１０５  ランド
１０６  案内溝
１０７  ウォブルのトラック方向の周期
１１１  ０度位相の正弦波
１１２  １８０度位相の正弦波
【図１】
2008251147.tif 000003
【図２】
2008251147.tif 000004
【図３】
2008251147.tif 000005
【図４】
2008251147.tif 000006
【図５】
2008251147.tif 000007
【図６】
2008251147.tif 000008
【図７】
2008251147.tif 000009
【図８】
2008251147.tif 000010
【図９】
2008251147.tif 000011
【図１０】
2008251147.tif 000012
【図１１】
2008251147.tif 000013
【図１２】
2008251147.tif 000014
【図１３】
2008251147.tif 000015
【図１４】
2008251147.tif 000016
【図１５】
2008251147.tif 000017